【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】
トナー像を担持する移動可能な像担持体と、転写材を担持する移動可能な転写材担持体と、を有し、前記像担持体上のトナー像を転写位置で前記転写材担持体に担持された転写材に転写する画像形成装置において、
前記転写位置における前記像担持体の移動速度と前記転写位置における前記転写材担持体の移動速度との速度差は、前記像担持体上のトナー像を前記転写材担持体に担持された転写材に静電的に転写するときと、前記転写材担持体上のトナーを前記像担持体に静電的に転写するときとでは異なることを特徴とする画像形成装置。
【請求項２】
前記速度差は、前記像担持体上のトナー像を前記転写材担持体に担持された転写材に転写するときよりも、前記転写材担持体上のトナーを前記像担持体に転写するときの方が大きいことを特徴とする請求項１の画像形成装置。
【請求項３】
前記転写材担持体の移動速度は、前記像担持体上のトナー像を前記転写材担持体に担持された転写材に転写するときよりも、前記転写材担持体上のトナーを前記像担持体に転写するときの方が速いことを特徴とする請求項１又は２の画像形成装置。
【請求項４】
前記転写位置における前記転写材担持体の移動速度は、前記転写位置における前記像担持体の移動速度よりも速いことを特徴とする請求項３の画像形成装置。
【請求項５】
前記像担持体の移動速度は、前記像担持体上のトナー像を前記転写材担持体に担持された転写材に転写するときよりも、前記転写材担持体上のトナーを前記像担持体に転写するときの方が速いことを特徴とする請求項１又は２の画像形成装置。
【請求項６】
前記転写位置における前記像担持体の移動速度は、前記転写位置における前記転写材担持体の移動速度よりも速いことを特徴とする請求項５の画像形成装置。
【請求項７】
前記転写材担持体上のトナーを前記像担持体に転写するとき、前記転写位置における前記像担持体の移動速度をＡ、前記転写位置における前記転写材担持体の移動速度をＢとすると、
（｜Ａ−Ｂ｜／Ａ）×１００≧６
が成り立つことを特徴とする請求項２乃至６のいずれかの画像形成装置。
【請求項８】
前記転写材担持体上のトナーを前記像担持体に転写するとき、前記転写位置における前記像担持体の移動速度をＡ、前記転写位置における前記転写材担持体の移動速度をＢとすると、
（｜Ａ−Ｂ｜／Ａ）×１００≧１０
が成り立つことを特徴とする請求項２乃至６のいずれかの画像形成装置。
【請求項９】
前記像担持体上のトナー像を前記転写材担持体に担持された転写材に転写するとき、前記転写位置における前記像担持体の移動速度をＡ、前記転写位置における前記転写材担持体の移動速度をＢとすると、
（｜Ａ−Ｂ｜／Ａ）×１００≦３
が成り立つことを特徴とする請求項７又は８の画像形成装置。
【請求項１０】
前記像担持体上のトナー像を前記転写材担持体に担持された転写材に転写するとき、前記速度差は実質的にゼロであることを特徴とする請求項１乃至９のいずれかの画像形成装置。
【請求項１１】
前記画像形成装置は前記像担持体上のトナー像を前記転写材担持体に担持された転写材に静電的に転写する転写手段を有することを特徴とする請求項１乃至１０のいずれかの画像形成装置。
【請求項１２】
前記転写手段は、前記転写材担持体上のトナーを前記像担持体に転写することを特徴とする請求項１１の画像形成装置。
【請求項１３】
前記像担持体は複数設けられ、前記各像担持体から前記転写材担持体に担持された転写材に像が順次重ねて転写されることを特徴とする請求項１乃至１２のいずれかの画像形成装置。
【請求項１４】
前記転写材担持体上のトナーを第１の像担持体に第１の転写位置で転写するために形成される電界の方向は、前記転写材担持体上のトナーを第２の像担持体に第２の転写位置で転写するために形成される電界の方向とは逆向きであることを特徴とする請求項１３の画像形成装置。
【請求項１５】
前記画像形成装置は前記像担持体上のトナーを回収する回収手段を有し、前記転写材担持体から前記像担持体に転写されたトナーは前記回収手段により回収されることを特徴とする請求項１乃至１４のいずれかの画像形成装置。
【請求項１６】
トナー像を担持する移動可能な像担持体と、移動可能な中間転写体と、を有し、前記像担持体上のトナー像は転写位置で前記中間転写体に転写され、前記中間転写体上のトナー像は転写材に転写される画像形成装置において、
前記転写位置における前記像担持体の移動速度と前記転写位置における前記中間転写体の移動速度との速度差は、前記像担持体上のトナー像を前記中間転写体に静電的に転写するときと、前記中間転写体上のトナーを前記像担持体に静電的に転写するときとでは異なることを特徴とする画像形成装置。
【請求項１７】
前記速度差は、前記像担持体上のトナー像を前記中間転写体に転写するときよりも、前記中間転写体上のトナーを前記像担持体に転写するときの方が大きいことを特徴とする請求項１６の画像形成装置。
【請求項１８】
前記中間転写体の移動速度は、前記像担持体上のトナー像を前記中間転写体に転写するときよりも、前記中間転写体上のトナーを前記像担持体に転写するときの方が速いことを特徴とする請求項１６又は１７の画像形成装置。
【請求項１９】
前記転写位置における前記中間転写体の移動速度は、前記転写位置における前記像担持体の移動速度よりも速いことを特徴とする請求項１８の画像形成装置。
【請求項２０】
前記像担持体の移動速度は、前記像担持体上のトナー像を前記中間転写体に転写するときよりも、前記中間転写体上のトナーを前記像担持体に転写するときの方が速いことを特徴とする請求項１６又は１７の画像形成装置。
【請求項２１】
前記転写位置における前記像担持体の移動速度は、前記転写位置における前記中間転写体の移動速度よりも速いことを特徴とする請求項２０の画像形成装置。
【請求項２２】
前記中間転写体上のトナーを前記像担持体に転写するとき、前記転写位置における前記像担持体の移動速度をＡ、前記転写位置における前記中間転写体の移動速度をＢとすると、
（｜Ａ−Ｂ｜／Ａ）×１００≧６
が成り立つことを特徴とする請求項１６乃至２１のいずれかの画像形成装置。
【請求項２３】
前記中間転写体上のトナーを前記像担持体に転写するとき、前記転写位置における前記像担持体の移動速度をＡ、前記転写位置における前記中間転写体の移動速度をＢとすると、
（｜Ａ−Ｂ｜／Ａ）×１００≧１０
が成り立つことを特徴とする請求項１６乃至２１のいずれかの画像形成装置。
【請求項２４】
前記像担持体上のトナー像を前記中間転写体に転写するとき、前記転写位置における前記像担持体の移動速度をＡ、前記転写位置における前記中間転写体の移動速度をＢとすると、
（｜Ａ−Ｂ｜／Ａ）×１００≦３
が成り立つことを特徴とする請求項２２又は２３の画像形成装置。
【請求項２５】
前記画像形成装置は前記像担持体上のトナー像を前記中間転写体に静電的に転写する転写手段を有することを特徴とする請求項１６乃至２４のいずれかの画像形成装置。
【請求項２６】
前記転写手段は、前記中間転写体上のトナーを前記像担持体に転写することを特徴とする請求項２５の画像形成装置。
【請求項２７】
前記画像形成装置は前記中間転写体上のトナーをトナーの正規の帯電極性とは逆極性に帯電する帯電手段を有し、前記帯電手段により帯電された前記中間転写体上のトナーは前記像担持体に静電的に転写されることを特徴とする請求項１６乃至２６のいずれかの画像形成装置。
【請求項２８】
複数の転写材に連続して画像形成するとき、前記帯電手段により帯電された前記中間転写体上のトナーを前記像担持体に静電的に転写するのと同時に、前記像担持体上のトナー像を前記中間転写体に転写することを特徴とする請求項２７の画像形成装置。
【請求項２９】
前記像担持体上のトナー像を前記中間転写体に転写するとき、前記速度差は実質的にゼロであることを特徴とする請求項１６乃至２８のいずれかの画像形成装置。
【請求項３０】
前記像担持体は複数設けられ、前記各像担持体から前記中間転写体に像が順次重ねて転写され、前記中間転写体から転写材に像が転写されることを特徴とする請求項１６乃至２９のいずれかの画像形成装置。
【請求項３１】
前記中間転写体上のトナーを第１の像担持体に第１の転写位置で転写するために形成される電界の方向は、前記中間転写体上のトナーを第２の像担持体に第２の転写位置で転写するために形成される電界の方向とは逆向きであることを特徴とする請求項３０の画像形成装置。
【請求項３２】
前記画像形成装置は前記像担持体上のトナーを回収する回収手段を有し、前記中間転写体から前記像担持体に転写されたトナーは前記回収手段により回収されることを特徴とする請求項１６乃至３１のいずれかの画像形成装置。
【請求項３３】
トナー像を担持する移動可能な像担持体と、転写材を担持する移動可能な転写材担持体と、を有し、前記像担持体上のトナー像は転写位置で前記転写材担持体に担持された転写材に転写される画像形成装置において、
前記転写位置における前記像担持体の移動速度と前記転写位置における前記転写材担持体の移動速度との速度差が第１の速度差であるときに、前記転写材担持体上のトナーを前記像担持体に静電的に転写する第１のモードと、前記速度差が前記第１の速度差よりも大きい第２の速度差であるときに、前記転写材担持体上のトナーを前記像担持体に静電的に転写する第２のモードと、を選択可能であることを特徴とする画像形成装置。
【請求項３４】
前記第２の速度差は前記像担持体上のトナー像を前記転写材担持体に担持された転写材に転写するときの前記速度差よりも大きいことを特徴とする請求項３３の画像形成装置。
【請求項３５】
前記第１の速度差は前記像担持体上のトナー像を前記転写材担持体に担持された転写材に転写するときの前記速度差と実質的に同じであることを特徴とする請求項３３又は３４の画像形成装置。
【請求項３６】
前記第１の速度差は実質的にゼロであることを特徴とする請求項３５の画像形成装置。
【請求項３７】
前記第２のモードにおける前記転写材担持体の移動速度は、前記像担持体上のトナー像を前記転写材担持体に担持された転写材に転写するときよりも、前記転写材担持体上のトナーを前記像担持体に転写するときの方が速いことを特徴とする請求項３３乃至３６のいずれかの画像形成装置。
【請求項３８】
前記転写位置における前記転写材担持体の移動速度は、前記転写位置における前記像担持体の移動速度よりも速いことを特徴とする請求項３７の画像形成装置。
【請求項３９】
前記第２のモードにおける前記像担持体の移動速度は、前記像担持体上のトナー像を前記転写材担持体に担持された転写材に転写するときよりも、前記転写材担持体上のトナーを前記像担持体に転写するときの方が速いことを特徴とする請求項３３乃至３６のいずれかの画像形成装置。
【請求項４０】
前記転写位置における前記像担持体の移動速度は、前記転写位置における前記転写材担持体の移動速度よりも速いことを特徴とする請求項３９の画像形成装置。
【請求項４１】
前記第２のモードが選択されるとき、前記転写位置における前記像担持体の移動速度をＡ、前記転写位置における前記転写材担持体の移動速度をＢとすると、
（｜Ａ−Ｂ｜／Ａ）×１００≧６
が成り立つことを特徴とする請求項３３乃至４０のいずれかの画像形成装置。
【請求項４２】
前記第２のモードが選択されるとき、前記転写位置における前記像担持体の移動速度をＡ、前記転写位置における前記転写材担持体の移動速度をＢとすると、
（｜Ａ−Ｂ｜／Ａ）×１００≧１０
が成り立つことを特徴とする請求項３３乃至４０のいずれかの画像形成装置。
【請求項４３】
前記第１のモードが選択されるとき、前記転写位置における前記像担持体の移動速度をＡ、前記転写位置における前記転写材担持体の移動速度をＢとすると、
（｜Ａ−Ｂ｜／Ａ）×１００≦３
が成り立つことを特徴とする請求項４１又は４２の画像形成装置。
【請求項４４】
前記画像形成装置は前記像担持体上のトナー像を前記転写材担持体に担持された転写材に静電的に転写する転写手段を有することを特徴とする請求項３３乃至４３のいずれかの画像形成装置。
【請求項４５】
前記転写手段は、前記転写材担持体上のトナーを前記像担持体に転写することを特徴とする請求項４４の画像形成装置。
【請求項４６】
前記像担持体は複数設けられ、前記各像担持体から前記転写材担持体に担持された転写材に像が順次重ねて転写されることを特徴とする請求項３３乃至４５のいずれかの画像形成装置。
【請求項４７】
前記転写材担持体上のトナーを第１の像担持体に第１の転写位置で転写するために形成される電界の方向は、前記転写材担持体上のトナーを第２の像担持体に第２の転写位置で転写するために形成される電界の方向とは逆向きであることを特徴とする請求項４６の画像形成装置。
【請求項４８】
前記画像形成装置は前記像担持体上のトナーを回収する回収手段を有し、前記転写材担持体から前記像担持体に転写されたトナーは前記回収手段により回収されることを特徴とする請求項３３乃至４７のいずれかの画像形成装置。
【請求項４９】
トナー像を担持する移動可能な像担持体と、中間転写体と、を有し、前記像担持体上のトナー像は転写位置で前記中間転写体に転写され、前記中間転写体上のトナー像は転写材に転写される画像形成装置において、
前記転写位置における前記像担持体の移動速度と前記転写位置における前記中間転写体の移動速度との速度差が第１の速度差であるときに、前記中間転写体上のトナーを前記像担持体に転写する第１のモードと、前記速度差が前記第１の速度差よりも大きい第２の速度差であるときに、前記中間転写体上のトナーを前記像担持体に転写する第２のモードと、を選択可能であることを特徴とする画像形成装置。
【請求項５０】
前記第２の速度差は前記像担持体上のトナー像を前記中間転写体に転写するときの前記速度差よりも大きいことを特徴とする請求項４９の画像形成装置。
【請求項５１】
前記第１の速度差は前記像担持体上のトナー像を前記中間転写体に転写するときの前記速度差と実質的に同じであることを特徴とする請求項４９乃至５０のいずれかの画像形成装置。
【請求項５２】
前記第１の速度差は実質的にゼロであることを特徴とする請求項５１の画像形成装置。
【請求項５３】
前記第２のモードにおける前記中間転写体の移動速度は、前記像担持体上のトナー像を前記中間転写体に転写するときよりも、前記中間転写体上のトナーを前記像担持体に転写するときの方が速いことを特徴とする請求項４９乃至５２のいずれかの画像形成装置。
【請求項５４】
前記転写位置における前記中間転写体の移動速度は、前記転写位置における前記像担持体の移動速度よりも速いことを特徴とする請求項５３画像形成装置。
【請求項５５】
前記第２のモードにおける前記像担持体の移動速度は、前記像担持体上のトナー像を前記中間転写体に転写するときよりも、前記中間転写体上のトナーを前記像担持体に転写するときの方が速いことを特徴とする請求項４９乃至５２のいずれかの画像形成装置。
【請求項５６】
前記転写位置における前記像担持体の移動速度は、前記転写位置における前記中間転写体の移動速度よりも速いことを特徴とする請求項５５の画像形成装置。
【請求項５７】
前記第２のモードが選択されるとき、前記転写位置における前記像担持体の移動速度をＡ、前記転写位置における前記中間転写体の移動速度をＢとすると、
（｜Ａ−Ｂ｜／Ａ）×１００≧６
が成り立つことを特徴とする請求項４９乃至５６のいずれかの画像形成装置。
【請求項５８】
前記第２のモードが選択されるとき、前記転写位置における前記像担持体の移動速度をＡ、前記転写位置における前記中間転写体の移動速度をＢとすると、
（｜Ａ−Ｂ｜／Ａ）×１００≧１０
が成り立つことを特徴とする請求項４９乃至５６のいずれかの画像形成装置。
【請求項５９】
前記第１のモードが選択されるとき、前記転写位置における前記像担持体の移動速度をＡ、前記転写位置における前記中間転写体の移動速度をＢとすると、
（｜Ａ−Ｂ｜／Ａ）×１００≦３
が成り立つことを特徴とする請求項５７又は５８の画像形成装置。
【請求項６０】
前記画像形成装置は前記像担持体上のトナー像を前記中間転写体に静電的に転写する転写手段を有することを特徴とする請求項４９乃至５９のいずれかの画像形成装置。
【請求項６１】
前記転写手段は、前記中間転写体上のトナーを前記像担持体に静電的に転写することを特徴とする請求項６０の画像形成装置。
【請求項６２】
前記画像形成装置は前記中間転写体上のトナーをトナーの正規の帯電極性とは逆極性に帯電する帯電手段を有し、前記帯電手段により帯電された前記中間転写体上のトナーは前記像担持体に静電的に転写されることを特徴とする請求項４９乃至６１のいずれかの画像形成装置。
【請求項６３】
複数の転写材に連続して画像形成するとき、前記帯電手段により帯電された前記中間転写体上のトナーを前記像担持体に静電的に転写するのと同時に、前記像担持体上のトナー像を前記中間転写体に転写することを特徴とする請求項６２の画像形成装置。
【請求項６４】
前記像担持体は複数設けられ、前記各像担持体から前記中間転写体に像が順次重ねて転写され、前記中間転写体から転写材に像が転写されることを特徴とする請求項４９乃至６３のいずれかの画像形成装置。
【請求項６５】
前記中間転写体上のトナーを第１の像担持体に第１の転写位置で転写するために形成される電界の方向は、前記中間転写体上のトナーを第２の像担持体に第２の転写位置で転写するために形成される電界の方向とは逆向きであることを特徴とする請求項６４の画像形成装置。
【請求項６６】
前記画像形成装置は前記像担持体上のトナーを回収する回収手段を有し、前記中間転写体から前記像担持体に転写されたトナーは前記回収手段により回収されることを特徴とする請求項４９乃至６５のいずれかの画像形成装置。
【請求項６７】
トナー像を担持する像担持体と、転写材を担持する移動可能な転写材担持体と、を有し、前記像担持体上のトナー像を転写位置で前記転写材担持体に担持された転写材に転写する画像形成装置において、
前記転写位置における前記転写材担持体の移動速度は、前記像担持体上のトナー像を前記転写材担持体に担持された転写材に静電的に転写するときと、前記転写材担持体上のトナーを前記像担持体に静電的に転写するときとでは異なることを特徴とする画像形成装置。
【請求項６８】
前記転写位置における前記転写材担持体の移動速度は、前記像担持体上のトナー像を前記転写材担持体に担持された転写材に静電的に転写するときよりも、前記転写材担持体上のトナーを前記像担持体に静電的に転写するときの方が速いことを特徴とする請求項６７の画像形成装置。
【請求項６９】
トナー像を担持する像担持体と、移動可能な中間転写体と、を有し、前記像担持体上のトナー像は転写位置で前記中間転写体に転写され、前記中間転写体上のトナー像は転写材に転写される画像形成装置において、
前記転写位置における前記中間転写体の移動速度は、前記像担持体上のトナー像を前記中間転写体に静電的に転写するときと、前記中間転写体上のトナーを前記像担持体に静電的に転写するときとでは異なることを特徴とする画像形成装置。
【請求項７０】
前記転写位置における前記中間転写体の移動速度は、前記像担持体上のトナー像を前記中間転写体に静電的に転写するときよりも、前記中間転写体上のトナーを前記像担持体に静電的に転写するときの方が速いことを特徴とする請求項６９の画像形成装置。